【手続補正書】
【提出日】平成23年11月22日(2011.11.22)
【手続補正１】
【補正対象書類名】特許請求の範囲
【補正対象項目名】全文
【補正方法】変更
【補正の内容】
【特許請求の範囲】
【請求項１】
人間の顔用に構成され、軽量で使い捨ての防塵マスクであって、該防塵マスクは、耳から耳に延在しかつユーザの口、鼻及び両耳のみのすべてを実質的に覆う大きさ及び形状の実質的に連続する本体を含み、前記マスクは、さらに前記ユーザが吸い込む又は吐き出す空気を通すが、少なくとも埃が前記ユーザの鼻、口及び両耳に達することを実質的に完全に阻止すように構成されている、防塵マスク。
【請求項２】
前記マスクは、さらに、埃に加えて少なくとも１つの望ましくない浮遊汚染物質を実質的に完全に阻止するように構成されている、請求項１に記載の防塵マスク。
【請求項３】
前記マスクは、前記ユーザの鼻及び口を覆う中央部分と、該中央部分に継ぎ目なく取り付けられた２つの耳覆いとを含む、請求項１又は２に記載の防塵マスク。
【請求項４】
前記マスクは、前記ユーザの鼻に合うように調整することができるしなやかで弾力がある鼻梁部を含む、請求項１から３のいずれか一項に記載の防塵マスク。
【請求項５】
前記マスクは、さらに前記鼻梁部の下の軟質要素を含む、請求項４に記載の防塵マスク。
【請求項６】
前記軟質要素は発泡部品である、請求項５に記載の防塵マスク。
【請求項７】
前記マスクは、さらに、前記ユーザの適正位置に前記マスクを保持すべく構成された少なくとも１つの保持具を含む、請求項１から６のいずれか一項に記載の防塵マスク。
【請求項８】
前記保持具は、前記マスクの耳覆いから耳覆いに延在する少なくとも１つのストラップ又は両耳との機械的相互作用を介して適所に前記マスクを保持すべく、前記ユーザの両耳を取り巻く少なくとも部分的な輪に形成された２つの弾性耳フックを含む、請求項７に記載の防塵マスク。
【請求項９】
前記保持具は、耳覆いから耳覆いに延在する少なくとも１つのストラップであり、該ストラップは、該ストラップが前記ユーザの両耳に接触しないように、各耳覆いの頂部又は後縁の少なくとも一方から延在する請求項７又は８に記載の防塵マスク。
【請求項１０】
前記少なくとも１つのストラップは、ゴムバンドと、面ファスナの接合布地の雄雌を合わせることで結合される２つの向き合った部分的なストラップとのうちの少なくとも一方である、請求項７から９のいずれか一項に記載の防塵マスク。
【請求項１１】
前記マスクは、耳から耳に延在する多層の保護材料を含む、請求項１から１０のいずれか一項に記載の防塵マスク。
【請求項１２】
前記マスクは、耳から耳に延在する保護材料の少なくとも１つの層と、実質的に口及び鼻の一方のみ又は両方を覆う保護材料の少なくとも１つの層とを含む、請求項１から１１に記載のいずれか一項に記載の防塵マスク。
【請求項１３】
前記マスクは、耳から耳に延在する保護材料の少なくとも一層と、少なくとも２つの耳部であって各耳部が実質的に１つの耳のみを覆う少なくとも２つの耳部を含む保護材料の少なくとも１つの非連続層とを含む、請求項１から１２のいずれか一項に記載の防塵マスク。
【請求項１４】
前記耳部分は、産業レベルの環境音からユーザの耳を保護するに十分な少なくとも1つの減音材料を含む、請求項１３に記載の防塵マスク。
【請求項１５】
前記産業レベルの環境音は、工業用スプレー塗装マシン、切削工具又は内燃機関の少なくとも1つである、請求項１４に記載の防塵マスク。
【請求項１６】
前記マスクは、少なくとも１つの浮遊微粒子からユーザを保護するように構成された産業用防塵マスクである、請求項１から１５に記載の防塵マスク。
【請求項１７】
前記浮遊微粒子は、車用塗料、アスベスト、有害化学薬品、花粉又はファイバーグラス埃の少なくとも1つである、請求項１６に記載の防塵マスク。
【請求項１８】
前記マスクは、少なくとも１つの医学的に望ましくない浮遊成分からユーザを保護するように構成された医療用マスクである、請求項１から１４のいずれか一項に記載の防塵マスク。
【請求項１９】
前記医学的に望ましくない浮遊成分は、飛散血液、感染性微生物又は有害化学薬品の少なくとも1つである、請求項１８に記載の防塵マスク。
【請求項２０】
前記マスクは、布地、プラスチック又は紙の製品の少なくとも１つで作られている、請求項１から１９のいずれか一項に記載の防塵マスク。
【請求項２１】
前記マスクのほぼすべては多孔質である、請求項１から２０のいずれか一項に記載の防塵マスク。
【請求項２２】
前記マスクは、少なくとも１つの呼気／吸気口を含む、請求項１から２１のいずれか一項に記載の防塵マスク。
【請求項２３】
前記防塵マスクの下部輪郭は、前記ユーザの両耳の後ろから顎の線に沿い、及び／又は顎先下に延在する、請求項１から２２のいずれか一項に記載の防塵マスク。
【請求項２４】
前記マスクの上部輪郭は、両耳から両ほおに沿って鼻梁を越えて延在する、請求項１から２３のいずれか一項に記載の防塵マスク。
【請求項２５】
前記マスクの上部輪郭は、前記ユーザの特定の目保護具に対応した下縁に整合するように明確に一致する、請求項１から２４のいずれか一項に記載の防塵マスク。
【請求項２６】
前記マスクは、さらに、弾力があるしなやかな顎部品、弾力があるしなやかなリブ及び弾力のあるしなやかな支柱のうちの少なくとも１つを含み、該支柱は、前記マスクの周辺部がユーザの顎に極めて密接に沿うこと及び少なくとも所望の一点で前記マスクの内部と前記ユーザとの間に所望の決められたスペースを確保することの少なくとも一方を可能にするように構成されている、請求項１から２５のいずれか一項に記載の防塵マスク。
【請求項２７】
前記マスクは、さらに、ユーザの両耳と前記耳部分との間にスペースを形成する該耳部分に膨らみを有するように構成されている、請求項１から２６のいずれか一項に記載の防塵マスク。
【請求項２８】
前記スペースは前記マスクの外壁と前記ユーザの両耳との間に配置された少なくとも１つの消音材料に適合するように構成されている、請求項２７に記載の防塵マスク。
【請求項２９】
前記スペースは耳覆いに適合するように構成されている、請求項２７に記載の防塵マスク。
【請求項３０】
前記マスクは、前記ユーザの口と前記マスクの内部との間に人工呼吸器を適合するに充分なスペースを含む、請求項１から２９のいずれか一項に記載の防塵マスク。
【請求項３１】
前記マスクの外壁は、さらに、少なくとも１つの芸術的デザインを含む、請求項１から３０のいずれか一項に記載の防塵マスク。
【請求項３２】
前記芸術的デザインは、頭蓋骨及び骨、又は微笑みである、請求項３１に記載の防塵マスク。
【請求項３３】
前記マスクは、さらに、該マスクの縁部のほぼすべてを取り巻き、強度及び／又はユーザに対する適合性を高めるように構成されたライナーを含む、請求項１から３２のいずれか一項に記載の防塵マスク。
【請求項３４】
前記防塵マスクは、該マスクが互いに入れ子になるように相互に積み重ねられまた該マスクの積み重ねが全体に梱包された販売時点情報管理パッケージである、請求項１から３３のいずれか一項に記載の複数の防塵マスクを含む、システム。
【請求項３５】
請求項１から３３のいずれか一つに記載の要素と、人間ユーザのために形成された眼鏡又はゴーグルとを含む防塵マスクを含むシステム。
【請求項３６】
前記防塵マスクの上部輪郭と前記眼鏡又はゴーグルの下部輪郭は実質的に相互に補完的な適合を提供すべく形成されている、請求項３５に記載のシステム。
【請求項３７】
請求項１から３３に記載のいずれか一項に記載の防塵マスクを製造することを含む防塵マスクを製造する方法。
【請求項３８】
請求項３７によって製造された複数のマスクを販売時点情報管理パッケージにセットすることを含む、請求項３７に記載の方法。
【請求項３９】
防塵マスクの使用方法であって該防塵マスクは請求項１から３３のいずれか一項に記載の要素を含み、前記方法は前記防塵マスクをユーザの顔及び両耳を覆うように該ユーザの前記顔及び両耳に適用することを含む、防塵マスクの使用方法。
【請求項４０】
さらに、前記防塵マスクをユーザから取り外し、該防塵マスクを処分することを含む、請求項３９に記載の方法。
【請求項４１】
請求項３９又は４０に記載の方法であって、前記防塵マスクは第１の防塵マスクであり、前記方法は、さらに、前記第１の防塵マスクを取り外した後、該第１の防塵マスクと実質的に同様な第２の防塵マスクを前記ユーザの顔及び両耳を覆うべく該ユーザに適用することを含む、方法。
【請求項４２】
請求項３９から４１のいずれか一項に記載の方法であって、さらに、少なくとも1つの望まれていない浮遊微粒子が前記ユーザの鼻、口及び両耳に達することを実質的に阻止することを含む、方法。
【請求項４３】
前記少なくとも1つの望まれていない浮遊微粒子は、車用塗料、有害化学薬品又はファイバーグラス埃の少なくとも1つである、請求項４２に記載の方法。
【請求項４４】
少なくとも1つの望ましくない浮遊微粒子は、飛散血液、感染性微生物又は有害化学薬品の少なくとも1つを含む少なくとも1つの医学的に望ましくない浮遊成分である、請求項４２に記載の方法。
【請求項４５】
さらに、前記ユーザの両耳に望まれていない騒音が達することを実質的に防止することを含む、請求項３９から４４のいずれか一項に記載の方法。
【請求項４６】
ユーザの少なくとも口及び鼻を覆う大きさ及び形状に形成された実質的に連続する本体を含み、さらに前記ユーザが吸い込んだ又は吐き出した空気を通すが、少なくとも好ましくない浮遊粒子が前記ユーザの少なくとも鼻及び口に達することを実質的に完全に阻止すように構成され、また人の顔用に形成された軽量で使い捨の防塵マスクであって、
少なくとも、前記ユーザの頭のほぼ後ろに達するように形成され前記マスクの実質的に相対する上方外側縁間に延在する第１の保持ストラップと、
前記ユーザの頭をほぼ越えて延在するように形成され前記マスクの実質的に相対する前記上方外側縁間又はその近傍に延在する第２の保持ストラップとを含む、防塵マスク。
【請求項４７】
請求項４６に記載の防塵マスクであって前記防塵マスクがさらに前記ユーザの両耳を覆う、請求項１から３３のいずれか一項に記載の防塵マスク。
【請求項４８】
前記マスクの最上縁に沿って前記第１のストラップが取り付けられている、請求項４６又は４７に記載の防塵マスク。